(57)【要約】      （修正有）【課題】引っ掛け機能を付加し、しかもコスト低減を図ることができる内装構造を提供する。【解決手段】和室１１においては、上下方向の中間位置において壁面１２に付け鴨居２２及び長押２４が取り付けられている。付け鴨居２２は、壁面１２に取り付けられた第１板材により形成され、長押２４は、第１板材に取り付けられた第２板材により形成されている。それら第１板材及び第２板材は互いの側板面同士を重ね合わせた状態で接着剤により固定されている。第１板材は、付け鴨居２２に加えて廻り縁２１として使用することが可能となっており、第２板材は、長押２４に加えて巾木３５として使用することが可能となっている。【選択図】図１
2013181316.tif 000002
【特許請求の範囲】
【請求項１】
建物内部の壁面に取り付けられることで巾木及び廻り縁のいずれかとして使用可能な長尺状の板材を複数有し、
前記壁面において床から天井までの間における中間位置に、前記複数の板材としての第１板材と第２板材とが、互いの側板面同士を重ねわせた状態で中間横材として取り付けられており、
前記第２板材は、前記第１板材を挟んで前記壁面とは反対側に配置され、該第１板材よりも上方に一部突出した状態で同第１板材と互いに重ね合わされていることを特徴とする建物の内装構造。
【請求項２】
前記第１板材を付け鴨居、前記第２板材を長押としている請求項１に記載の建物の内装構造。
【請求項３】
前記第１板材及び前記第２板材は、それぞれの側板面が凹凸を有する形状で形成されており、一方の板材の凹部に他方の板材の凸部を嵌め込むことで重ね合わされている請求項１又は２に記載の建物の内装構造。
【請求項４】
前記第１板材と前記第２板材とは、互いの側面板同士が接着剤により接着されることで固定されている請求項３に記載の建物の内装構造。
【請求項５】
前記第１板材及び第２板材の少なくとも一方は、その長手方向に直交する幅方向の両端部に、それぞれ同じ方向の傾斜面が形成されている請求項１乃至４のいずれか１項に記載の建物の内装構造。
【請求項６】
前記第１板材と前記第２板材とは、それぞれの長手方向においていずれも同じ断面形状を有している請求項１乃至５のいずれか１項に記載の建物の内装構造。
【発明の詳細な説明】
【技術分野】
【０００１】
本発明は、建物の内装構造に関するものである。
【背景技術】
【０００２】
住宅等の建物の屋内空間においては、上下方向において壁面の中間位置に付け鴨居や長押などが取り付けられていることがある。この場合、付け鴨居及び長押がそれぞれ専用部材により形成されている構成がある（例えば特許文献１）。
【先行技術文献】
【特許文献】
【０００３】
【特許文献１】特開平１１−２９３９０６号公報
【発明の概要】
【発明が解決しようとする課題】
【０００４】
ところで、建物の内装構造は、付け鴨居や長押をはじめとして多種多様な部材を用いて構築されており、内装構造の施工に際しては、多くの手間やコストがかかっている。このため、上記のように付け鴨居や長押がそれぞれ専用部材により形成されていると、そのことが内装構造の施工に際して手間やコストが増大することの一因になってしまう。したがって、内装構造に関して改善の余地がある。
【０００５】
一方で、長押にハンガー等を引っ掛けることを可能とする技術があるが、長押が引っ掛け機能を有している構成においても、やはり専用部材が利用されている場合には、施工コストの点などで改善の余地がある。
【０００６】
本発明は、引っ掛け機能を付加し、しかもコスト低減を図ることができる内装構造を実現することを主たる目的とするものである。
【課題を解決するための手段】
【０００７】
以下、上記課題を解決するのに有効な手段等につき、必要に応じて作用、効果等を示しつつ説明する。
【０００８】
第１の発明の建物の内装構造は、建物内部の壁面に取り付けられることで巾木及び廻り縁のいずれかとして使用可能な長尺状の板材を複数有し、前記壁面において床から天井までの間における中間位置に、前記複数の板材としての第１板材と第２板材とが、互いの側板面同士を重ねわせた状態で中間横材として取り付けられており、前記第２板材は、前記第１板材を挟んで前記壁面とは反対側に配置され、該第１板材よりも上方に一部突出した状態で同第１板材と互いに重ね合わされていることを特徴とする。
【０００９】
第１の発明によれば、巾木及び廻り縁のいずれかとして使用可能な長尺状の板材を、例えば長押等の中間横材として用いることにより、建物内の造作を行う上で、その中間横材としての専用部材を用意しなくてもよくなる。したがって、部材品目を減らすことによりコスト低減を図ることができる。また、中間横材として用いられる複数の板材は、その上端部を上下にずらして重ね合わされており、特に、第２板材が第１板材よりも上方に一部突出しているため、その突出部分をハンガー等の引っ掛け部として利用することができる。以上により、引っ掛け機能を付加し、しかもコスト低減を図ることができる内装構造を実現できる。
【００１０】
第２の発明では、前記第１板材を付け鴨居、前記第２板材を長押としている。
【００１１】
第２の発明によれば、和室の造作において、付け鴨居と長押とを、巾木部材や廻り縁部材の流用により構成できる。
【００１２】
和室等の内装構造としては、和室出入口となる開口部に上枠として鴨居が設けられ、その鴨居に重ねるようにして長押が設けられている。この構成では、鴨居の高さに合わせて付け鴨居を設ける場合に、上記のとおり第１板材を付け鴨居、第２板材を長押とするとよい。長押として用いられる第２板材は、鴨居及び付け鴨居の両方に重ね合わせて設けられるとよい。
【００１３】
第３の発明では、前記第１板材及び前記第２板材は、それぞれの側板面が凹凸を有する形状で形成されており、一方の板材の凹部に他方の板材の凸部を嵌め込むことで重ね合わされている。
【００１４】
第３の発明によれば、第１板材の凹凸と第２板材の凹凸とが噛み合わされているため、それら板材が平坦面同士で重ね合わされた構成（壁面から離間する方向に重ね合わされた構成）に比べて、第２板材の鉛直荷重を第1板材にて支える上で好都合となる。しかも、例えば第１板材と第２板材とを接着剤により接着する場合には、接着剤の付着面積が大きくなるため、それら板材を強固に接合することができる。
【００１５】
また、第１板材や第２板材を廻り縁や巾木として単独で使用する場合、凹凸面を壁面への取り付け面とすることにより、仮に壁面に不陸があったとしても、その不陸により廻り縁や巾木の仕上げ面が壁面に対して傾くということを抑制できる。
【００１６】
さらに、第２板材を第１板材に嵌合しない状態で取り付けた場合と、嵌合した状態で取り付けた場合とで、第１板材及び第２板材の全体の厚み寸法が異なるため、第１板材に対する第２板材の取り付け態様を適宜選択することが好ましい。例えば、開口上部に鴨居が設けられている居住空間において、第１板材を付け鴨居として使用し、第２板材を長押として使用する場合、壁面からの鴨居の突出寸法が第１板材の厚み寸法よりも小さい場合には、第２板材を第１板材に嵌合させた状態で取り付け、壁面からの鴨居の突出寸法が第１板材の厚み寸法と同じ場合は、第２板材を第１板材に嵌合させずに取り付ける。これにより、鴨居と付け鴨居とに架け渡すように長押としての第１板材を取り付けることができる。
【００１７】
第４の発明では、前記第１板材と前記第２板材とは、互いの側面板同士が接着剤により接着されることで固定されている。
【００１８】
第４の発明によれば、第１板材及び第２板材の各接着面が凹凸を有しているため、各接着面が平坦面である場合に比べて、接着剤の付着面積が大きくなる。これにより、第１板材と第２板材とを互いに強固に固定することができる。
【００１９】
第５の発明では、前記第１板材及び第２板材の少なくとも一方は、その長手方向に直交する幅方向の両端部に、それぞれ同じ方向の傾斜面が形成されている。
【００２０】
第５の発明によれば、第１板材や第２板材を巾木や廻り縁として用いる場合と、中間横材として用いる場合とで上下を逆にすることが可能となる。このため、板材を巾木や廻り縁、中間横材のそれぞれに適した状態で配置することができる。
【００２１】
第６の発明では、前記第１板材と前記第２板材とは、それぞれの長手方向においていずれも同じ断面形状を有している。
【００２２】
第６の発明によれば、巾木、廻り縁、横材（長押等）をいずれも同様の部材にて構成することができる。
【図面の簡単な説明】
【００２３】
【図１】居住空間の壁面の構成を示す図。
【図２】居住空間の壁面周辺の縦断面図。
【図３】別の居住空間の壁面周辺の縦断面図。
【図４】別の居住空間の壁面周辺の縦断面図。
【発明を実施するための形態】
【００２４】
以下、本発明を具体化した一実施形態について図面を参照しつつ説明する。本実施形態では、本発明の内装構造を、建物内空間が間仕切壁により複数の居住空間に仕切られた建物において具体化している。図１は居住空間の壁面の構成を示す図であり、図１においては、（ａ）に和室１１の壁面１２の正面図を示し、（ｂ）に洋室３１の壁面３２の正面図を示す。
【００２５】
図１（ａ）に示すように、建物には居住空間として和室１１が設けられており、和室１１により居間等が形成されている。和室１１において、その壁面１２は外壁や間仕切壁等の壁体により形成され、床面１３は畳により形成されている。壁体は、上下方向に延びる壁下地材と、その壁下地材の屋内側に取り付けられた石膏ボード等の内壁面材１４（図２参照）とを含んで構成されており、壁面１２は内壁面材１４の屋内側面により形成されている。
【００２６】
壁面１２には出入口１５が形成されている。出入口１５においては、その下端に敷居１６が設けられ、その上端に鴨居１７が設けられている。敷居１６及び鴨居１７はそれぞれ水平方向に延びる横材であり、敷居１６の上端面は、床面１３と同じ高さ又はそれよりも僅かに高い位置に配置されている。出入口１５には、襖等の引き戸１８が設けられており、引き戸１８は、敷居１６及び鴨居１７に沿って水平方向にスライド移動可能に取り付けられている。
【００２７】
なお、図示は省略するが、壁面１２と畳（床面１３）との間には、寄敷としての畳寄せが設けられている。畳寄せは、敷居１６と同様に水平方向に延びる横木であり、その上端面は敷居１６の上端面とほぼ同じ高さ位置に配置されている。
【００２８】
和室１１の壁面１２には、その壁面１２と天井面１９との境界部に沿って延びる廻り縁２１が取り付けられている。廻り縁２１は天井面１９に沿って水平方向に延びる横材であり、壁面１２と天井面１９との境界部を覆い隠している。なお、和室１１の天井部は、野縁等の天井下地材と、その天井下地材の下側に取り付けられた石膏ボード等の天井面材とを含んで構成されており、天井面１９は天井面材の下面により形成されている。
【００２９】
壁面１２には、床面１３と天井面１９との中間位置に付け鴨居２２が取り付けられている。付け鴨居２２は、鴨居１７と同じ高さ位置において水平方向に延びる長尺状の横材であり、鴨居１７と直列に横並びで設けられている。この場合、鴨居１７と付け鴨居２２とは、同一直線上に配置されていることになる。
【００３０】
鴨居１７と付け鴨居２２との間には柱２３が立設されている。柱２３は、水平方向において壁面１２の中間位置に配置されており、柱２３には敷居１６及び鴨居１７の各端部が接続されている。柱２３、鴨居１７及び付け鴨居２２は、壁面１２から室内側（和室１１の内部側）に向けて突出しており、その突出寸法はほぼ同一にされている。なお、柱２３、鴨居１７及び付け鴨居２２の各側面は、壁面１２に沿って延びる同一平面を形成していることが好ましい。
【００３１】
和室１１には、壁面１２に沿って水平方向に延びる長押２４が設けられている。長押２４は、水平方向に延びる長尺状の横材であり、柱２３を跨いで鴨居１７と付け鴨居２２とに架け渡された状態で、それら柱２３、鴨居１７及び付け鴨居２２の各側面に取り付けられている。この場合、長押２４は、内法長押や付け長押として、床面１３と天井面１９との中間位置において、柱２３、鴨居１７及び付け鴨居２２の室内側に配置されていることになる。
【００３２】
図１（ｂ）に示すように、建物には居住空間として洋室３１が設けられており、洋室３１によりリビング等が形成されている。洋室３１において、その壁面３２は和室１１の壁面１２と同様に壁体により形成されている一方で、床面３３はフローリング材３４（図２（ｂ）参照）の上面により形成されている。なお、洋室３１の床部は、合板やパーティクルボード等の床下地材と、その床下地材の上側に取り付けられたフローリング材３４等の床面材とを含んで構成されている。
【００３３】
洋室３１の壁面３２には、その壁面３２と床面３３との境界部に沿って延びる巾木３５が取り付けられている。巾木３５は床面３３に沿って水平方向に延びる横材であり、壁面３２と床面３３との境界部を覆い隠している。
【００３４】
洋室３１において壁面３２には出入口３７が形成されている。出入口３７には、ドア枠３８が取り付けられており、そのドア枠３８に対して開き戸としてのドア３９が取り付けられている。
【００３５】
本実施形態では、廻り縁２１及び付け鴨居２２が共通の板材により形成されているとともに、長押２４及び巾木３５が共通の板材により形成されている。ここでは、廻り縁２１、鴨居１７、長押２４及び巾木３５の構成について図２を参照しつつ説明する。図２は居住空間の壁面周辺の縦断面図である。図２においては、（ａ）に図１（ａ）の和室１１についてのＡ−Ａ線断面図を示し、（ｂ）に洋室３１についての図１（ｂ）のＢ−Ｂ線断面図を示している。
【００３６】
図２に示すように、廻り縁２１及び付け鴨居２２はいずれも第１板材４１により形成されており、長押２４及び巾木３５はいずれも第２板材４２により形成されている。つまり、付け鴨居２２として使用されている第１板材４１は廻り縁２１としても使用可能になっており、長押２４として使用されている第２板材４２は巾木３５としても使用可能になっている。第１板材４１及び第２板材４２は、木材や合成樹脂材料などにより形成された長尺状の板材であり、第１板材４１と第２板材４２とでは縦断面の形状及び大きさが異なっている。第１板材４１及び第２板材４２は、床面１３と天井面１９との間において水平方向に延びている中間横材に相当する。
【００３７】
第１板材４１及び第２板材４２は、いずれも縦断面略矩形状とされており、表裏両板面が凹凸を有する形状とされている。各板材４１，４２には、水平方向に延びる角部を直線的に面取りした面取り部４５が形成されている。面取り部４５は切面（角面）を有しており、その切面は斜め側方を向いた傾斜面とされている。面取り部４５は、各板材４１，４２において表裏両板面のうち一方の板面と上端面とが交わる角部、他方の板面と下端面とが交わる角部の両方に設けられている。つまり、面取り部４５は、第１板材４１及び第２板材４２のそれぞれにおいて対角位置に配置されている。
【００３８】
図２（ａ）に示すように、第１板材４１は、和室１１において壁面１２の上端部に取り付けられることにより廻り縁２１を形成し、同じく和室１１において壁面１２の中間位置に取り付けられることにより付け鴨居２２を形成している。第１板材４１は、廻り縁２１及び付け鴨居２２のいずれを形成している場合でも、表裏両板面のうち一方の板面４１ａが壁面１２に重ね合わされ、且つ板面４１ａの面取り部４５が上端に配置された状態で、壁面１２に対して釘や接着剤等により固定されている。この場合、第１板材４１においては、上端の面取り部４５の傾斜面が壁面１２側の斜め上方を向いている。
【００３９】
第１板材４１には、表裏両板面のうち一方の板面４１ａの一部が外側に向けて突出した凸部５１が複数形成されている。凸部５１は、第１板材４１の上下両端側のそれぞれに設けられており、それら凸部５１は互いに離間している。各凸部５１のうち面取り部４５側に配置された凸部５１は、その面取り部４５に合わせて傾斜面を有する形状とされている。各凸部５１は第１板材４１の長手方向に沿って延びている。
【００４０】
第１板材４１は、廻り縁２１及び付け鴨居２２のいずれとして使用されている場合でも、凸部５１を有する板面４１ａが壁面１２への取り付け面とされているため、板面４１ａのうち凸部５１の先端面だけが壁面１２に当接していることになる。この場合、取り付け面が平坦面とされている構成に比べて、第１板材４１と壁面１２との当接面積が小さくなっている。したがって、例えば壁面１２に凹凸等の不陸が生じていても、第１板材４１が上下両側の凸部５１で壁面１２の凹凸を跨いだ状態となるように取り付けられていることで、壁面１２の不陸によって板面４１ａが倒れる側に第１板材４１が傾くということを抑制できる。
【００４１】
廻り縁２１を形成している第１板材４１においては、その上端面が天井面１９に当接している。ここで、第１板材４１の上端の面取り部４５の傾斜面は壁面１２側の斜め上方を向いているため、上端の面取り部４５の傾斜面が室内側（壁面１２とは反対側）の斜め上方を向いている場合とは異なり、上端の面取り部４５の傾斜面と天井面１９との間に埃やゴミが溜まるということを抑制できる。
【００４２】
ちなみに、廻り縁２１を形成する第１板材４１においては、取り付け面としての板面４１ａとは反対側の板面４１ｂが仕上げ面となっている。
【００４３】
図２（ｂ）に示すように、第２板材４２は、洋室３１において壁面３２の下端部に取り付けられることにより巾木３５を形成している。この場合、第２板材４２は、表裏両板面のうち一方の板面４２ａが壁面３２に重ね合わされ、且つ板面４２ａの面取り部４５が下端に配置された状態、壁面３２に対して釘や接着剤等により固定されている。この場合、第２板材４２においては、下端の面取り部４５の傾斜面が壁面３２側の斜め下方を向いている。
【００４４】
第２板材４２には、第１板材４１の凸部５１と同様に、表裏両板面のうち一方の板面４２ａが外側に向けて突出した凸部６１が複数形成されている。凸部６１は、第２板材４２の上下両端側のそれぞれに設けられているとともに、上下方向の中間位置にも設けられており、それら凸部６１は互いに離間している。各凸部６１のうち面取り部４５側に配置された凸部６１は、その面取り部４５に合わせて傾斜面を有する形状とされている。各凸部６１は第２板材４２の長手方向に沿って延びている。
【００４５】
巾木３５を形成している第２板材４２は、凸部６１を有する板面４２ａが壁面３２への取り付け面とされているため、板面４２ａのうち凸部６１の先端面だけが壁面３２に当接していることになる。したがって、第１板材４１と同様に、例えば壁面３２に凹凸等の不陸が生じていても、第２板材４２が上下両側の凸部６１で壁面３２の凹凸を跨いだ状態となるように取り付けられていることで、壁面３２の不陸によって板面４２ａが倒れる側に第２板材４２が傾くということを抑制できる。
【００４６】
巾木３５を形成している第２板材４２においては、その下端面が床面３３に当接している。ここで、第２板材４２の下端の面取り部４５の傾斜面は壁面３２側の斜め下方を向いているため、下端の面取り部４５の傾斜面が室内側（壁面３２とは反対側）の斜め上方を向いている場合とは異なり、下端の面取り部４５の傾斜面と床面３３との間に埃やゴミが溜まるということを抑制できる。
【００４７】
また、巾木３５を形成している第２板材４２においては、上端の面取り部４５の傾斜面が室内側の斜め上方を向いている。この場合、上端の面取り部４５の傾斜面が壁面３２側の斜め上方を向いている場合とは異なり、上端の面取り部４５の傾斜面と壁面３２との間に埃やゴミが溜まるということを抑制できる。
【００４８】
ちなみに、巾木３５を形成している第２板材４２においては、取り付け面としての４２ａとは反対側の板面４２ｂが仕上げ面となっている。
【００４９】
図２（ａ）の説明に戻り、第２板材４２は、和室１１の付け鴨居２２を形成する第１板材４１に取り付けられることにより長押２４を形成している。第２板材４２は、第１板材４１を挟んで壁面１２とは反対側において、巾木３５を形成する場合と同様に、板面４２ａを壁面１２側に向けて配置されている。この場合、第１板材４１における壁面１２への取り付け面である板面４１ａとは反対側の板面４１ｂと、第２板材４２の壁面１２側の板面４２ａとが重ね合わされており、それら板面４１ｂ，４２ａ同士は接着剤により固定されている。
【００５０】
第１板材４１の板面４１ｂの凹凸形状と第２板材４２の板面４２ａの凹凸形状とが噛み合った状態となっている。具体的には、第１板材４１に、第２板材４２側の板面４１ｂの一部が内側に向けて凹んだ凹部５２が形成されており、その凹部５２に第２板材４２の複数の凸部６１のうち１つが嵌合している。ここでは、第２板材４２の複数の凸部６１のうち、板面４２ａにおける上下方向の中間位置にある凸部６１が第１板材４１の凹部５２に嵌合している。
【００５１】
なお、第２板材４２には、仕上げ面としての板面４２ｂの一部が内側に向けて凹んだ凹部６２が形成されており、その凹部６２により板面４２ｂの意匠性を高めることが可能となっている。
【００５２】
第２板材４２は、その上端が第１板材４１の上端よりも上方に突出した状態で第１板材４１に対して取り付けられている。この場合、第２板材４２の上端と壁面１２との間には、第１板材４１により隙間が形成されており、その隙間を利用してハンガー等の引っ掛け具Ｈを第２板材４２の上端に引っ掛けることができる。しかも、第２板材４２の上端の面取り部４５は、その傾斜面を壁面１２側の斜め上方に向けているため、第２板材４２と壁面１２との離間距離は、第２板材４２の上端側ほど大きくなっている。この場合、引っ掛け具Ｈを第２板材４２の上端に引っ掛ける際に、引っ掛け具Ｈの先端が面取り部４５の傾斜面により第２板材４２と壁面１２との間に案内されるため、引っ掛け具Ｈを第２板材４２の上端に引っ掛ける作業が容易となる。
【００５３】
なお、付け鴨居２２を形成する第１板材４１は壁面１２に対して釘等の固定具により固定されている。固定具として釘が用いられている場合、その釘は、室内側から第１板材４１を貫通して壁下地材に対して打ち込まれており、釘頭部は第１板材４１の室内側に存在している。この場合、第２板材４２を室内側から第１板材４１に対して取り付けることにより、第２板材４２により釘頭部を室内側から覆い隠すことができる。
【００５４】
ちなみに、和室１１において鴨居１７の側面形状は、付け鴨居２２の側面形状と同じにされている。この場合、鴨居１７の側面は、第１板材４１における第２板材４２が取り付けられた板面４１ｂと同じ形状にされており、鴨居１７には、第１板材４１の凹部５２と同じ大きさ及び形状の凹部がその凹部５２と同じ高さ位置に形成されている。また、鴨居１７と付け鴨居２２との間にある柱２３には、付け鴨居２２の凹部５２と鴨居１７の凹部とを接続する凹部が形成されており、その凹部を通じて付け鴨居２２と鴨居１７とは凹部同士が連続している。長押２４を形成する第２板材４２は、第１板材４１により形成された付け鴨居２２に加えて鴨居１７及び柱２３に取り付けられており、第２板材４２の凸部６１は、第１板材４１の凹部５２に嵌合されているのと同様に、鴨居１７及び柱２３の各凹部に嵌合されている。
【００５５】
以上詳述した本実施形態によれば、以下の優れた効果が得られる。
【００５６】
第１板材４１は付け鴨居２２及び廻り縁２１のいずれとしても使用可能であり、第２板材４２は長押２４及び巾木３５のいずれとしても使用可能であるため、建物内の造作を行う上で、専用部材を用意しなくても付け鴨居２２及び長押２４といった中間板材を形成することが可能となる。この場合、部材品目を減らすことが可能となり、それによってコスト低減を図ることができる。また、中間板材として使用される第１板材４１及び第２板材４２については、第２板材４２の上端部が第１板材４１の上端部よりも上方に突出しているため、その突出部分を引っ掛け具Ｈを引っ掛ける部分として利用することができる。以上により、引っ掛け機能を付加し、しかもコスト低減を図ることができる内装構造を実現できる。
【００５７】
和室１１の造作において、付け鴨居２２及び長押２４を廻り縁部材としての第１板材４１や巾木部材としての第２板材４２を流用することで構成できる。
【００５８】
付け鴨居２２及び長押２４においては、第１板材４１の凹凸と第２板材４２の凹凸とが噛み合わされているため、それら板材４１，４２が平坦面同士で重ね合わされた構成に比べて、第２板材４２の鉛直荷重を第１板材４１にて支える上で好都合となる。しかも、第１板材４１と第２板材４２とは噛み合わせ部分において接着剤により接着されているため、それら板材４１，４２を強固に接合することができる。これは、板材４１，４２のそれぞれの接着面において接着剤の付着面積が大きくなっているためである。
【００５９】
第１板材４１において壁面１２への取り付け面となる板面４１ａは、複数の凸部５１により凹凸面とされているため、仮に壁面１２に不陸があったとしても、その不陸によって第１板材４１の板面４１ｂが壁面１２に対して傾くということを抑制できる。つまり、第１板材４１により形成された廻り縁２１や付け鴨居２２の取り付け状態、及び付け鴨居２２に固定された長押２４の取り付け状態に壁面１２の不陸の影響が及ぶということを抑制できる。
【００６０】
巾木３５を形成する第２板材４２において壁面３２への取り付け面となる板面４２ａは、複数の凸部６１により凹凸面とされているため、仮に壁面３２に不陸があったとしても、その不陸によって第２板材４２の板面４２ｂが壁面３２に対して傾くということを抑制できる。しかも、第２板材４２は、巾木３５及び長押２４のいずれとして使用される場合でも取り付け面が同一の板面４２ａとされているため、第２板材４２においては、第２板材４２の複数の凸部６１を壁面３２の不陸対策として利用することができるとともに、複数の凸部６１のいずれかを第１板材４１の凹部５２に嵌合する嵌合部として利用することができる。
【００６１】
長押２４を形成する第２板材４２は、柱２３を跨いで鴨居１７と付け鴨居２２とに架け渡されているため、鴨居１７と柱２３との境界部及び柱２３と付け鴨居２２との境界部を覆い隠すことができる。しかも、その第２板材４２の凸部６１は、付け鴨居２２を形成する第１板材４１の凹部５２に加えて、鴨居１７及び柱２３の各凹部に嵌合されているため、第２板材４２は第１板材４１、鴨居１７及び柱２３のそれぞれにより好適に支持されていることになる。
【００６２】
第１板材４１及び第２板材４２においては、面取り部４５がそれぞれ対向配置されている。このため、第１板材４１については、付け鴨居２２に使用する場合と廻り縁２１に使用する場合とで上下を逆にすることが可能となり、第１板材４１を付け鴨居２２及び廻り縁２１のそれぞれに適した状態で配置することができる。同様に、第２板材４２については、長押２４に使用する場合と巾木３５に使用する場合とで上下を逆にすることが可能となり、第２板材４２を長押２４及び巾木３５のそれぞれに適した状態で配置することができる。
【００６３】
第１板材４１は、廻り縁２１及び付け鴨居２２のいずれとして使用される場合でも、一方の板面４１ａが壁面１２への取り付け面とされているため、他方の板面４１ｂだけを仕上げ面としておけばよい。この場合、板面４１ａ，４１ｂの両方が仕上げ面とされている構成に比べて、第１板材４１の製作に際しての手間やコストを低減できる。
【００６４】
第２板材４２は、巾木３５及び長押２４のいずれとして使用される場合でも、一方の板面４２ｂが壁面１２，３２とは反対側に向けられているため、その板面４２ｂだけを仕上げ面としておけばよい。この場合、板面４２ａ，４２ｂの両方が仕上げ面とされている構成に比べて、第２板材４２の作成に際しての手間やコストを低減できる。
【００６５】
［他の実施形態］
本発明は上記実施形態の記載内容に限定されず、例えば次のように実施されてもよい。
【００６６】
（１）上記実施形態では、付け鴨居２２に使用される第１板材４１が廻り縁２１としても使用され、長押２４に使用される第２板材４２が巾木３５としても使用されているが、第１板材４１及び第２板材４２は、それぞれ廻り縁２１及び巾木３５のいずれに使用されていてもよい。例えば、第１板材４１が廻り縁２１ではなく巾木３５として使用され、第２板材４２が巾木３５ではなく廻り縁２１として使用されている構成（図３参照）や、第１板材４１及び第２板材４２の両方がそれぞれ廻り縁２１として使用されている構成、第１板材４１及び第２板材４２の両方がそれぞれ巾木３５として使用されている構成が挙げられる。
【００６７】
（２）上記実施形態では、第１板材４１は、廻り縁２１及び付け鴨居２２のいずれとして使用されている場合でも同一の板面４１ａが壁面１２への取り付け面とされているが、第１板材は、廻り縁又は巾木として使用される場合と、中間横材として使用される場合とで異なる板面が壁面への取り付け面とされていてもよい。
【００６８】
例えば図３（ａ），（ｂ）に示すように、第１板材４１が付け鴨居２２及び巾木３５として使用されている場合、巾木３５を形成する第１板材４１においては、付け鴨居２２を形成している第１板材４１とは反対側の板面４１ｂが壁面３２への取り付け面とされている構成とする。
【００６９】
また、第２板材４２が長押２４及び廻り縁２１として使用されている場合、廻り縁２１を形成する第２板材４２においては、長押２４を形成している第２板材４２とは反対側の板面４２ｂが壁面１２に向けて取り付けられている構成とする。この場合、廻り縁２１を係止している第２板材４２では、長押２４を形成する場合に第１板材４１への取り付け面となる板面４２ａが室内側を向いた仕上げ面とされている一方で、長押２４を形成している第２板材４２では、廻り縁２１を形成する場合に壁面１２への取り付け面となる板面４２ｂが室内側を向いた仕上げ面とされている。したがって、廻り縁２１及び長押２４の両方が第２板材４２により形成されている構成でも、第２板材４２において一方の板面４２ａと他方の板面４２ｂとの表面形状や色を異ならせておくことにより、廻り縁２１と長押２４とに異なる意匠性を付与することができる。
【００７０】
（３）上記実施形態では、板材４１，４２が表裏両板面に凹凸を有していたが、板材４１，４２は、表裏両板面のうち一方の板面に凹凸を有していてもよく、両方の板面に凹凸を有していなくてもよい。
【００７１】
例えば図３（ａ）に示すように、第１板材４１及び第２板材４２が、互いに重ね合わされる方の板面に凹凸を有しており、重ね合わされない方の板面が平坦面とされた構成とする。この構成でも、第１板材４１の板面４１ｂの凹凸形状と第２板材４２の板面４２ａの凹凸形状とが噛み合った状態とすることができる。
【００７２】
（４）上記実施形態では、第１板材４１と第２板材４２とが重ね合わされている部分において、第２板材４２の凸部６１が第１板材４１の凹部５２に嵌合されているが、第１板材４１の凸部が第２板材４２の凹部に嵌合されていてもよい。要は、第１板材４１の板面４１ｂと第２板材４２の板面４２ａとが互いの凹凸にて噛み合った状態とされていればよい。
【００７３】
また、第１板材４１及び第２板材４２とは、凹凸形状同士が噛み合った状態となっていなくてもよい。例えば、第１板材４１及び第２板材４２において、互いに対向する板面がそれぞれ平坦面とされた構成とする。この場合でも、第１板材４１と第２板材４２とを、互いの平坦面同士を重ね合わせた状態で固定し、中間横材として使用することができる。
【００７４】
（５）第１板材４１及び第２板材４２において、凸部５１，６１及び凹部５２，６２は、各板材４１，４２の長手方向において所定間隔で複数設けられていてもよい。この場合でも、第２板材４２の凸部６１が第１板材４１の凹部５２に嵌合した構成を実現できる。
【００７５】
（６）上記実施形態では、壁面１２に取り付けられた第１板材４１が付け鴨居２２を形成し、第１板材４１に取り付けられた第２板材４２が長押２４を形成しているが、第１板材及び第２板材は、互いの側板面同士を重ね合わせた状態で中間横材として壁面に対して取り付けられていれば、付け鴨居２２及び長押２４を形成していなくてもよい。
【００７６】
（７）第１板材４１及び第２板材４２は、同じ板材により形成されていてもよい。つまり、第１板材４１と第２板材４２とは縦断面が同じ形状とされていてもよい。例えば、図４に示すように、板材７１により第１板材４１及び第２板材４２の両方が形成されている構成とする。この場合、廻り縁２１、付け鴨居２２、長押２４及び巾木３５がいずれも板材７１により形成されていることになる。
【００７７】
（８）上記実施形態では、廻り縁２１、付け鴨居２２及び長押２４が和室１１の壁面１２に取り付けられ、巾木３５が洋室３１の壁面３２に取り付けられているが、廻り縁２１、付け鴨居２２、長押２４及び巾木３５の全てが同一の壁面に取り付けられていてもよく（図４参照）、それぞれが異なる壁面に取り付けられていてもよい。
【００７８】
（９）第１板材４１及び第２板材４２において、面取り部４５は直線的ではなく曲面的に設けられていてもよい。また、面取り部４５は、板材４１，４２においていずれの角部に設けられていてもよく、いずれの角部にも設けられていなくてもよい。例えば第２板材４２の上端に面取り部４５が設けられていなくても、第２板材４２が第１板材４１よりも上方に突出していれば、第２板材４２の上端に引っ掛け具Ｈを引っ掛けることができる。
【００７９】
（１０）第２板材４２は、第１板材４１に対して釘やビス等の固定具により固定されていてもよい。
【００８０】
（１１）中間横材として３つ以上の板材が、互いの側板面同士を重ね合わせた状態で壁面に取り付けられていてもよい。例えば、第３板材が第２板材の室内側（第１板材とは反対側）の板面に重ねられた構成や、第４板材が壁面に取り付けられその第４板材の室内側の板面に第１板材が重ねられた構成が挙げられる。
【００８１】
（１２）上記実施形態では、付け鴨居２２及び長押２４を形成する第１板材４１及び第２板材４２は互いの凹凸が噛み合った状態で固定されていたが、第１板材４１と第２板材４２とは互いの凹凸が噛み合っていない状態で固定されていてもよい。例えば、第１板材４１が形成している付け鴨居２２の方が、壁面１２からの突出寸法が鴨居１７よりも小さい場合、長押２４として使用される第２板材４２は、鴨居１７に対しては凹凸を噛み合わせた状態で取り付けられ、第１板材４１に対しては凹凸を噛み合わせない状態で取り付けられることが好ましい。これにより、鴨居１７と付け鴨居２２（第１板材４１）とで壁面１２からの突出寸法が異なっていても、鴨居１７に取り付けられた第１板材４１と付け鴨居（第１板材４１）に取り付けられた第１板材４１とで、壁面１２からの突出寸法をほぼ同じにすることが可能となる。
【符号の説明】
【００８２】
１２…壁面、２１…廻り縁、２２…中間横材により形成される付け鴨居、２４…中間横材により形成される長押、３２…壁面、３５…巾木、４１…中間横材としての第１板材、４１ａ…板面、４１ｂ…側板面としての板面、４２…中間横材としての第２板材、４２ａ…側板面としての板面、４２ｂ…板面、４５…傾斜面を形成する面取り部、５１…凸部、５２…凹部、６１…凸部、６２…凹部、７１…第１板材及び第２板材を形成する板材。
【図１】
2013181316.tif 000003
【図２】
2013181316.tif 000004
【図３】
2013181316.tif 000005
【図４】
2013181316.tif 000006